(57)【要約】【課題】  信号の伝送向けに、高速かつ効率的な等化方法及びシステムを提供する。【解決手段】  信号の等化は、振幅を有するデータシーケンスの信号を受信することを含んでいる。このデータシーケンス信号を等化可能な該データシーケンス信号の調整が決定される。この調整に従って該データシーケンス信号の振幅を調整可能な制御信号が発生される。この制御信号は、アナログ形式を有している。データシーケンス信号の振幅は、該データシーケンス信号を等化するために、制御信号を使用して調整される。【選択図】  図７
2004242305.tif 000002
【特許請求の範囲】
【請求項１】
振幅を有するデータシーケンスの信号を受信するステップと、
該データシーケンス信号を等化可能な該データシーケンス信号に関する調整を決定するステップと、
該調整にしたがって、該データシーケンス信号の振幅を調整可能であってアナログ形式を有する制御信号を発生するステップと、
該データシーケンス信号を等化するために、該制御信号を使用して該データシーケンス信号の振幅を調整するステップと、
を備える信号を等化するための方法。
【請求項２】
該調整にしたがって、該データシーケンス信号の振幅を調整可能な制御信号を発生する前記ステップは、該制御信号をデジタル−アナログ変換器で発生するステップを備える、
請求項１記載の方法。
【請求項３】
該データシーケンス信号を送信するステップと、
該データシーケンス信号を受信するステップと、
該データシーケンス信号に関連する誤差を決定するステップと、
該誤差に応答して、次のデータシーケンスの信号を等化可能な該次のデータシーケンス信号に関する次の調整を決定するステップと、
をさらに備える請求項１記載の方法。
【請求項４】
該データシーケンス信号の振幅は、該データシーケンス信号の電流の振幅を備え、
該制御信号は、該データシーケンス信号の電流振幅を調整可能な制御電流を備える、
請求項１記載の方法。
【請求項５】
該データシーケンス信号の振幅は、該データシーケンス信号の電圧の振幅を備え、
該制御信号は、該データシーケンス信号の電圧振幅を調整可能な制御電圧を備える、
請求項１記載の方法。
【請求項６】
振幅を有するデータシーケンスの信号を受信可能な入力と、
該データシーケンス信号を等化可能な該データシーケンス信号に関する調整を決定し、該調整に従い該データシーケンス信号の振幅を調整可能であってアナログ形式を有する制御信号を発生可能なアナログソースと、
該入力と該アナログソースとに接続され、それぞれが該データシーケンス信号の調整を等化するために該制御信号を使用して該データシーケンス信号の振幅を調整可能な複数のフィルタ係数回路と、
を備える信号を等化するためのシステム。
【請求項７】
該アナログソースは、デジタル−アナログ変換器を備える、
請求項６記載のシステム。
【請求項８】
該データシーケンス信号を送信可能な送信機と、
該データシーケンス信号を受信し、該データシーケンス信号に関連する誤差を決定し、該誤差に応答して、次のデータシーケンスの信号を等化可能であって該次のデータシーケンス信号に関する次の調整を決定可能な受信機と、
をさらに備える請求項６記載のシステム。
【請求項９】
該それぞれのフィルタ係数回路は、
該データシーケンス信号の０を含む第一のキャラクタの受信に応答して、該制御信号に従い決定される低い振幅を有する低出力信号を出力し、該データシーケンス信号の１を含む第二のキャラクタの受信に応答して、該制御信号に従い決定される高い振幅を有する高出力信号を出力することにより、該制御信号を使用して該データシーケンス信号の振幅を調整可能である、
請求項６記載のシステム。
【請求項１０】
該それぞれのフィルタ係数回路は、
該データシーケンス信号の０を含む第一のキャラクタの受信に応答して、該制御信号に従い決定される低い振幅を有する低出力信号を出力し、該データシーケンス信号の１を含む第二のキャラクタの受信に応答して、該制御信号に従い決定される高い振幅を有する高出力信号を出力し、該データシーケンス信号の０を含む第三のキャラクタの受信に応答して、該制御信号に従い決定される高い振幅を有する反転された高出力信号を出力し、該データシーケンス信号の１を含む第四のキャラクタの受信に応答して、該制御信号に従い決定される低い振幅を有する反転された低出力信号を出力することにより、該制御信号を使用して該データシーケンス信号の振幅を調整可能である、
請求項６記載のシステム。
【発明の詳細な説明】
【技術分野】
【０００１】
本発明は、一般にデータ通信の分野に関し、より詳細には、伝送向けの信号の等化に関する。
【背景技術】
【０００２】
送信機から受信機へ送信された信号は、一般に歪み受ける。受けた歪みを補償するために、送信機は、信号の振幅を調整することで信号にプリエンファシスを実行する場合がある。しかし、信号の等化に関する公知の技術は、一般に低速かつ非効率的である。その結果、信号の等化のための公知の技術は、ある状況では不十分な場合がある。
【発明の開示】
【発明が解決しようとする課題】
【０００３】
本発明によれば、伝送向けの信号の等化に関する従来技術の欠点及び課題が低減又は排除される。
【０００４】
本発明の実施の形態によれば、信号の等化は、振幅を有するデータシーケンスの信号を受信することを含んでいる。データシーケンス信号を等化可能な該データシーケンス信号の調整が決定される。この調整に従って該データシーケンス信号の振幅を調整可能な制御信号が発生される。この制御信号は、アナログ形式を有している。データシーケンス信号の振幅は、該データシーケンス信号を等化するために、制御信号を使用して調整される。
【０００５】
本発明の幾つかの実施の形態は、１つ以上の技術的な効果を提供する。１つの実施の形態での技術的な効果は、イコライジングフィルタがアナログ信号を利用し、歪みを補償するために信号を調整する。このアナログ信号は、信号を調整するための高速及び効率的な方法を提供する。
【０００６】
本発明の幾つかの実施の形態は、上記の技術的な効果を含まない場合があり、また該効果の一部又は全部を含む場合もある。１つ以上の他の技術的な効果は、図面、発明の実施の形態の説明及び本明細書に添付された特許請求の範囲を通して、当業者には容易に明らかとなるであろう。本発明、並びにその機能及び効果のより完全な理解のために、添付図面と共に、以下に発明の実施の形態を説明する。
【発明を実施するための最良の形態】
【０００７】
本発明の実施の形態及びその効果は、添付図面の図１〜図７を参照することで最適に理解される。ここで、同じ参照符号は、様々な図面において同一又は対応する構成要素に使用されている。
【０００８】
図１は、予期されるひずみを補償するために送信信号を調整する送信機を有するネットワーク１０に関する１つの実施の形態を例示するブロック図である。この送信機は、受信機からのフィードバックを使用して、チャネルを通して受信機に信号が伝播するときに生じる歪みを予測する。予期される歪みを補償するために、送信機は、信号の振幅を調整することで、信号にプリエンファシスを施す。この送信機は、アナログ信号を利用して振幅調整を制御するイコライジングフィルタを含んでいる。
【０００９】
例示される実施の形態によれば、ネットワーク１０は、ネットワークエレメント２０ａ，２０ｂ、及び図１に示されるように接続されているチャネル２２を含んでいる。ネットワークエレメント２０は、サーバシステム、ストレージシステム、ネットワークシステム、ルーティングシステム、又は処理に関する任意の組み合わせのような、データを送信及び受信するエレメントを備えている。サーバシステムであれば、１つ以上の中央処理装置（ＣＰＵ）、及び１つ以上のメモリ装置を含んでいる場合がある。ストレージシステムであれば、１つ以上のチャネルアダプタ（ＣＡ）、１つ以上のディスクアダプタ（ＤＡ）、及び１つ以上のＣＰＵモジュール（ＣＭ）を含んでいる場合がある。ルーティングシステムであれば、ネットワーク１０を、１つ以上のローカルエリアネットワーク（ＬＡＮ）、ワイドエリアネットワーク（ＷＡＮ）、又は他のネットワークを含んだ１つ以上の他のネットワークに接続する場合がある。
【００１０】
チャネル２２は、約２０〜４０メートルのような数１０〜数百メートルの範囲の長さを有するケーブルを備えている。チャネル２２を通して伝送される信号の速度は、毎秒約３ギガビットのような毎秒マルチギガビットの範囲である。例として、チャネル２２は、１０ギガビット・アタッチメント・ユニット・インタフェース（ＸＡＵＩ）の規格に従い動作する場合があり、このＸＡＵＩは、３．１２５ギガビットの固定周波数が要求され、１０ギガビットイーサネット（登録商標）向けに使用される。
【００１１】
高速で伝送される信号は、チャネル２２のインパルス応答から生じる歪みを受ける。受信信号は、表皮効果及び誘電損失による周波数に依存した歪みを受ける。周波数に依存した歪みは、内部シンボル干渉（ＩＳＩ）のような干渉となる。マルチギガビットレートの通信は、内部シンボル干渉を克服するために、約２０から４０ｄＢにわたる高度の等化（イコライゼーション）を一般に必要とする。
【００１２】
ネットワークエレメント２０ａは送信機２４を含んでおり、ネットワークエレメント２０ｂは受信機２６を含んでいる。送信機２４は、チャネル２２を通して受信機２６に信号を送信する。送信機２４は、イコライジングフィルタ３０及びフィードバックモニタ３２を含んでいる。イコライジングフィルタ３０は、送信信号を調整して、伝送の間に生じる予期される歪みを補償する。この調整は、受信機２６からフィードバックモニタ３２により受信されるフィードバック情報に従い決定される。イコライジングフィルタ３０は、振幅を制御するために、アナログ信号を利用する。これにより、より精度の高い信号調整が許容される。公知の技術によれば、複数のトランジスタを使用して、振幅を制御している。しかし、トランジスタは、高解像度のための制御を提供することができない。公知の技術によれば、デジタル・シグナル・プロセッサ（ＤＳＰ）を使用して、歪み補償を行っている。しかし、デジタル・シグナル・プロセッサは、毎秒マルチギガビットの伝送向けには一般に低速かつ非効率的である。
【００１３】
受信機２６は、フィルタ３４及び測定回路３６を含んでいる。測定回路３６は、受信信号に関連する誤差を推定する。この誤差は、チャネル２２を通した伝送に関連する歪みから生じる場合がある振幅誤差を含んでいる。この誤差は、イコライジングフィルタ３０、フィルタ３４、或いはこの両者を調整して該誤差を補償するために使用される。
【００１４】
エレメントは、本発明の範囲から逸脱することなしに改良、追加又は省略される場合がある。たとえば、フィルタ３４が省略されて、イコライジングフィルタ３０がイコライゼーション処理を実行することを可能にする場合がある。さらに、機能は、ソフトウェア、ハードウェア、他のロジック、或いはこれらの適切な組み合わせを利用して実行される場合がある。イコライジングフィルタ３０の例は、図２、図３及び図４を参照して説明される。受信信号を等化するための方法に関する例は、図４を参照して説明される。本明細書で使用されるように、「それぞれの」は、あるセットのそれぞれの番号、又はあるセットのうちのあるサブセットのそれぞれの番号を言及する。
【００１５】
図２は、伝送向けに信号を等化するためのシステム５０に関する１つの実施の形態を例示するブロック図である。システム５０は、チャネル２２を通した伝送の間に信号が受ける予期される歪みを補償するために、データシーケンスの信号の振幅を調整する。システム５０は、信号の振幅を調整する制御信号を供給するアナログソースを含んでいる。このアナログの制御信号は、より精度の高い振幅の調整のために供給される。
【００１６】
システム５０は、入力５１、１つ以上の遅延回路５２ａ〜５２ｃ、１つ以上のフィルタ係数回路５４ａ〜５４ｄ、ミキサ５８、及び図２に示されるように接続されているアナログソース６０を含んでいる。システム５０は、データシーケンスからなるデータシーケンス信号を受信する。遅延回路５２ａ〜５２ｃは、信号を遅延し、たとえば１ビット時間遅延だけ遅延された信号を生成する。図示される例では、遅延回路５２ａは、信号Ｄ0を遅延して、信号Ｄ1を生成する。受信信号は、セグメントＤiに変換され、それぞれのセグメントは、受信信号のうちの１ビット以上のビット数を含んでいる。図示される例では、受信信号は、セグメントＤ0、Ｄ1、Ｄ2及びＤ3に変換され、それぞれのセグメントは１ビットを含んでいる。
【００１７】
フィルタ係数回路５４ａ〜５４ｄは、フィルタ係数に従い信号の振幅を調整する。それぞれのフィルタ係数回路５４は、対応する信号の振幅を調整する。たとえば、フィルタ係数回路５４ａは、フィルタ係数Ａ0に従い信号Ｄ0を調整し、フィルタ係数回路５４ｂは、フィルタ係数Ａ1に従い信号Ｄ1の振幅を調整する。図示される例では、セグメントＤ0、Ｄ1、Ｄ2及びＤ3は、対応するフィルタ係数Ａ0、Ａ1、Ａ2及びＡ3に従いフィルタリングされる。フィルタ係数回路５４により調整される信号Ｄiのそれぞれの結合は、タップを形成している。図示される例では、システム５０は、４つのタップを含んでいる。しかし、システム５０は、任意の適切な数のタップを含んでいる場合がある。
【００１８】
アナログソース６０は、フィルタ係数回路５４ａ〜５４ｄにより実行される振幅調整を制御するアナログ形式を有する制御信号を発生する。アナログソース６０は、信号の電圧を調整する電圧制御信号を発生する場合があり、又は信号の電流を調整する電流制御信号を発生する場合がある。チャネル２２の長さは、一般には一定のままであるので、歪みの調整も一般に不変のままである。したがって、フィルタ係数も相対的に一定のままである場合がある。
【００１９】
信号振幅を調整するための公知の技術は、複数のトランジスタを使用してフィルタ係数を制御することを含んでいる。しかし、複数のトランジスタは、一般に低速である。さらに、フィルタ係数が制御される解像度を向上するために、多くのトランジスタが必要とされる。
【００２０】
ミキサ５８は、調整された信号を合計して、出力を発生する。図示される例では、出力は、Ａ0Ｄ0＋Ａ1Ｄ1＋Ａ2Ｄ2＋Ａ3Ｄ3を含んでいる。この出力は、チャネル２２を通して受信機２６に送信される。信号は、チャネル２２を通して伝送されるにつれて、ひずみを受ける。しかし、イコライジングフィルタ３０により実行されるイコライゼーションは、受信機２６で受信された信号が受信機２６での使用に適するように信号を調整する。
【００２１】
図３は、伝送向けに信号の電圧を調整するイコライジングフィルタ７０に関する１つの実施の形態を例示する回路図である。イコライジングフィルタ７０は、電圧源７２、マルチプレクサ７４，７８、及び図３に示されるように接続されるトランジスタ８０，８２を含んでいる。電圧源７２は、信号Ｄ0の電圧を調整するために使用される制御信号Ｖcを発生する。電圧源７２は、たとえば、デジタル−アナログ変換器のような、デジタル制御式の電圧源を備えている場合がある。
【００２２】
電圧源７２は、フィードバックモニタ３２から受信された命令に応答して、制御信号Ｖcを発生する場合がある。この命令は、制御信号Ｖcの電圧を調整するために使用される係数パラメータを典型的に含んでおり、信号の振幅を順次制御する。制御信号Ｖcは、約０〜１ボルトの範囲で動作する。受信機２６、送信機２４或いはこの両者は、受信機２６での歪みの測定に応答して命令を発生する場合がある。
【００２３】
マルチプレクサ７４は、信号Ｄ0-0、Ｄ0-1、Ｄ0-2及びＤ0-3を多重して、データストリームを生成する。マルチプレクサ７４は、トランジスタ８４ａ〜８４ｄを含んでいる。トランジスタ８４ａ〜８４ｄは、信号Ｄiのキャラクタに関してスイッチオン又はオフとなる。たとえば、トランジスタ８４は、データセグメントが１を有するキャラクタを含んでいる場合にスイッチオンにされ、該データセグメントが０を有するキャラクタを含んでいる場合にスイッチオフにされる。
【００２４】
マルチプレクサ７８は、信号Ｄ0-0、Ｄ0-1、Ｄ0-2及びＤ0-3がそれぞれ反転された信号を多重して、反転データストリームを生成する。マルチプレクサ７８は、トランジスタ８６ａ〜８６ｄを含んでいる。これらトランジスタ８６ａ〜８６ｄは、トランジスタ８４ａ〜８４ｄの動作と実質的に同様なやり方で動作するが、信号の反転に関するそれらの機能を実行して、反転出力を得る。すなわち、トランジスタ８６ａ〜８６ｄは、信号Ｄiの反転されたキャラクタに関してスイッチオン及びオフされる。
【００２５】
マルチプレクサ７４，７８は、イコライジングフィルタ３０の回路の動作周波数を減少するために使用される。ｍを適当な整数として、ｍ：１マルチプレクサは、回路の動作周波数を１／ｍに減少するために使用される。たとえば、回線速度３．２ギガヘルツが４：１マルチプレクサと組み合わせて使用された場合、イコライザフィルタ３０は、周波数８００メガヘルツで動作することが必要とされる。
【００２６】
トランジスタ８０は、制御信号Ｖc及びデータシーケンス信号に応答してスイッチオン及びオフされる。ゲート電圧がゼロである場合、トランジスタ８０はスイッチオフされる。ゲート電圧が制御電圧Ｖcに到達した場合、トランジスタ８０はスイッチオンされる。トランジスタ８０がスイッチオフされた場合、出力電圧８４は、高電圧Ｖdとなる。逆に、トランジスタ８０がスイッチオンされた場合、出力電圧８４は低電圧である。
【００２７】
この高電圧は一般に一定であるが、低電圧は制御電圧Ｖcにより決定される。したがって、制御電圧Ｖcを変化することにより、低電圧が変化する。低電圧は調整可能であるので、低電圧と高電圧との間のスイングも調整可能である。したがって、電圧源７２は、制御電圧Ｖcを調整することにより、高電圧と低電圧との間のスイングを調整する場合がある。トランジスタ８２は、トランジスタ８０の動作と同様なやり方で動作するが、信号の反転に関するその機能を実行して、反転された出力電圧８６を得る。出力電圧８４及び反転された出力電圧８６は、差動出力を形成するために使用される。
【００２８】
図４及び図５は、高電圧と低電圧との間の電圧スイングを調整するために、制御電圧Ｖcがどのように使用されるかを例示するグラフ９０，１００である。図４は、時間ｔに関するトランジスタ８０で受信された電圧の例を示すグラフ９０を含んでいる。グラフ９２は、制御電圧がＶc1である場合にトランジスタ８０で受信される電圧を表している。グラフ９４は、制御電圧がＶc2である場合にトランジスタ８０で受信される電圧を表している。
【００２９】
図５は、時間ｔに関する異なる制御電圧Ｖcに関連するトランジスタ８０の出力電圧の例を示すグラフ１０である。グラフ１０２は、制御電圧がＶc1である場合に受信された電圧を表しており、グラフ１０４は、制御電圧がＶc2である場合の出力電圧を表している。グラフ１０２，１０４は、制御電圧Ｖcを変えることにより出力電圧が調整されることを例示している。
【００３０】
図６は、伝送向けに信号の電流を調整するイコライジングフィルタ１１０に関する１つの実施の形態を例示する回路図である。イコライジングフィルタ１１０は、電流源１２０、トランジスタ１２２，１２４，１４８及び１５０、インバータ１２６ａ，１２６ｂ及びマルチプレクサ１２８ａ，１２８ｂ及び１３０ａ，１３０ｂを含んでいる。電流源１２０は、データシーケンス信号の振幅を調整するために使用されるアナログ形式を有する制御信号を発生する。電流源１２０は、たとえばデジタル−アナログ変換器のような、デジタル制御式の電流源を備えている場合がある。トランジスタ１２２，１２４，１４８及び１５０は、カレントミラー回路を形成している。たとえば、電流源１２０が制御電流Ｉcを発生し、トランジスタ１５０がオンされたとき、トランジスタ１４８を流れる電流は（Ｉc＊ｎ）である。ここで、トランジスタ１２２，１４８のサイズ比は１：ｎである。トランジスタ１２２，１２４，１４２及び１４４は、同様なやり方で動作する。
【００３１】
インバータ１２６ａ，１２６ｂ、及びマルチプレクサ１２８ａ，１２８ｂは、データシーケンス及び反転されたデータシーケンスの正の値のみをマルチプレクサ１３０ａ，１３０ｂに送出するために動作する。インバータ１２６ａ，１２６ｂは、到来するデータシーケンスを反転する。マルチプレクサ１２８ａ，１２８ｂは、データシーケンス又は反転されたデータシーケンスのうち正の値のみをそれぞれ選択する。マルチプレクサ１３０ａ，１３０ｂは、データセグメントをデータストリームに多重する。ｍを適当な整数としてｍ：１マルチプレクサは、ｍ個のデータセグメントを１つのデータストリームに多重するものであり、回路の動作周波数を要素１／ｍだけ減少するために使用される。
【００３２】
また、イコライジングフィルタ１１０は、電流源１４０，１４６、及び図６に示されるように接続されている出力ノード１５２，１５４を含んでいる。電流源１４０，１４６は、一定の電流を供給する。電流の量は、ＢＩＡＳにより決定され、タップについて電流源１２０の総和に従い調整される。図示される例によれば、電流源１４０，１４６は、（１／２＊Ｉc＊ｎ）の電流源として動作する。出力ノード１５２，１５４は、伝送チャネルに電流を送出し、該伝送チャネルから電流を受ける。
【００３３】
動作において、トランジスタ１４４がデータシーケンスＤiに応答してオフとなり、トランジスタ１５０が反転されたデータシーケンスＤiに応答してオフとなった場合、電流（１／２＊Ｉc＊ｎ）が出力ノード１５２を通して伝送チャネルに送出され、リターン電流（１／２＊Ｉc＊ｎ）が伝送チャネルから反転出力ノード１５４を通して戻る。電流源１４６からの電流（１／２＊Ｉc＊ｎ）及び反転出力ノード１５４からの電流（１／２＊Ｉc＊ｎ）は、トランジスタ１４８を通して流れる電流（Ｉc＊ｎ）となる。さらに、トランジスタ１４４がオンになり、及びトランジスタ１５０がオフになった場合、出力ノード１５２及び反転出力ノード１５４を通して流れる電流は逆方向になる。したがって、電流の波形は、データシーケンスＤiに追従し、電流の振幅は電流源１２０により決定される。
【００３４】
図７は、伝送向けに信号を等化するための方法に関する１つの実施の形態に関するフローチャートである。本方法は、ステップ１７０で始まり、送信機２４でイコライジングフィルタ３０は、データシーケンスの信号を受信する。ステップ１７２で、イコライジングフィルタ３０は、予期される歪みを補償するために調整を決定する。この決定は、フィードバックモニタ３２から受信された命令に応答して行われる場合がある。この命令は、予期されるひずみを補償するために、データシーケンス信号がどのように調整されるかを示している。
【００３５】
ステップ１７４で、イコライジングフィルタ３０は、調整を実行するための制御信号を発生する。この制御信号は、アナログ形式を有しており、伝送されるデータシーケンス信号の電流又は電圧のいずれかを調整する。ステップ１７６で、データシーケンス信号は、制御信号を使用して調整され、ステップ１７８で、データシーケンス信号は、チャネル２２を通して受信機２６に送信される。
【００３６】
ステップ１８０で、受信機２６は、データシーケンス信号を受信する。ステップ１８２で、受信機２６は、受信されたデータシーケンス信号から回復されたデータシーケンスを得るために、データシーケンス信号を処理する。ステップ１８４で、測定回路３６は、受信されたデータシーケンスの歪みを推定する。この推定された歪みは、信号を調整して歪みを補償するための命令を発生するために使用される。ステップ１８６で、次のデータシーケンスの信号が存在する場合、本方法はステップ１７０に戻り、イコライジングフィルタ３０は、次のデータシーケンス信号を受信する。次のデータシーケンス信号がない場合には、本方法は終了する。
【００３７】
本発明の範囲から逸脱することなしに、上述した処理について変更、追加又は省略される場合がある。さらに、本発明の範囲から逸脱することなしに、上述の処理が任意の適切な順序で実行される場合がある。
【００３８】
本発明の実施の形態及びその効果がより詳細に記載されたが、当業者であれば、特許請求の範囲に規定されたように、本発明の精神及び範囲から逸脱することなしに、様々な変更、追加及び省略を行うことが可能である。
【００３９】
（付記１）
振幅を有するデータシーケンスの信号を受信するステップと、
該データシーケンス信号を等化可能な該データシーケンス信号に関する調整を決定するステップと、
該調整にしたがって、該データシーケンス信号の振幅を調整可能であってアナログ形式を有する制御信号を発生するステップと、
該データシーケンス信号を等化するために、該制御信号を使用して該データシーケンス信号の振幅を調整するステップと、
を備える信号を等化するための方法。
【００４０】
（付記２）
該調整にしたがって、該データシーケンス信号の振幅を調整可能な制御信号を発生する前記ステップは、該制御信号をデジタル−アナログ変換器で発生するステップを備える、
付記１記載の方法。
【００４１】
（付記３）
該データシーケンス信号を送信するステップと、
該データシーケンス信号を受信するステップと、
該データシーケンス信号に関連する誤差を決定するステップと、
該誤差に応答して、次のデータシーケンスの信号を等化可能な該次のデータシーケンス信号に関する次の調整を決定するステップと、
をさらに備える付記１記載の方法。
【００４２】
（付記４）
該データシーケンス信号の振幅は、該データシーケンス信号の電流の振幅を備え、
該制御信号は、該データシーケンス信号の電流振幅を調整可能な制御電流を備える、
付記１記載の方法。
【００４３】
（付記５）
該データシーケンス信号の振幅は、該データシーケンス信号の電圧の振幅を備え、
該制御信号は、該データシーケンス信号の電圧振幅を調整可能な制御電圧を備える、
付記１記載の方法。
【００４４】
（付記６）
該制御信号を使用して該データシーケンス信号の振幅を調整する前記ステップは、
該データシーケンス信号の０を含む第一のキャラクタの受信に応答して、該制御信号に従い決定される低い振幅を有する低出力信号を出力するステップと、
該データシーケンス信号の１を含む第二のキャラクタの受信に応答して、該制御信号に従い決定される高い振幅を有する高出力信号を出力するステップと、
を備える付記１記載の方法。
【００４５】
（付記７）
該制御信号を使用して該データシーケンス信号の振幅を調整する前記ステップは、
該データシーケンス信号の０を含む第一のキャラクタの受信に応答して、該制御信号に従い決定される低い振幅を有する低出力信号を出力するステップと、
該データシーケンス信号の１を含む第二のキャラクタの受信に応答して、該制御信号に従い決定される高い振幅を有する高出力信号を出力するステップと、
該データシーケンス信号の０を含む第三のキャラクタの受信に応答して、該制御信号に従い決定される高い振幅を有する反転された高出力信号を出力するステップと、
該データシーケンス信号の１を含む第四のキャラクタの受信に応答して、該制御信号に従い決定される低い振幅を有する反転された低出力信号を出力するステップと、
を備える付記１記載の方法。
【００４６】
（付記８）
振幅を有するデータシーケンスの信号を受信可能な入力と、
該データシーケンス信号を等化可能な該データシーケンス信号に関する調整を決定し、該調整に従い該データシーケンス信号の振幅を調整可能であってアナログ形式を有する制御信号を発生可能なアナログソースと、
該入力と該アナログソースとに接続され、それぞれが該データシーケンス信号の調整を等化するために該制御信号を使用して該データシーケンス信号の振幅を調整可能な複数のフィルタ係数回路と、
を備える信号を等化するためのシステム。
【００４７】
（付記９）
該アナログソースは、デジタル−アナログ変換器を備える、
付記８記載のシステム。
【００４８】
（付記１０）
該データシーケンス信号を送信可能な送信機と、
該データシーケンス信号を受信し、該データシーケンス信号に関連する誤差を決定し、該誤差に応答して、次のデータシーケンスの信号を等化可能であって該次のデータシーケンス信号に関する次の調整を決定可能な受信機と、
をさらに備える付記８記載のシステム。
【００４９】
（付記１１）
該データシーケンス信号の振幅は、該データシーケンス信号の電流の振幅を備え、
該制御信号は、該データシーケンス信号の電流振幅を調整可能な制御電流を備える、
付記８記載のシステム。
【００５０】
（付記１２）
該データシーケンス信号の振幅は、該データシーケンス信号の電圧の振幅を備え、
該制御信号は、該データシーケンス信号の電圧振幅を調整可能な制御電圧を備える、
付記８記載のシステム。
【００５１】
（付記１３）
該それぞれのフィルタ係数回路は、
該データシーケンス信号の０を含む第一のキャラクタの受信に応答して、該制御信号に従い決定される低い振幅を有する低出力信号を出力し、該データシーケンス信号の１を含む第二のキャラクタの受信に応答して、該制御信号に従い決定される高い振幅を有する高出力信号を出力することにより、該制御信号を使用して該データシーケンス信号の振幅を調整可能である、
付記８記載のシステム。
【００５２】
（付記１４）
該それぞれのフィルタ係数回路は、
該データシーケンス信号の０を含む第一のキャラクタの受信に応答して、該制御信号に従い決定される低い振幅を有する低出力信号を出力し、該データシーケンス信号の１を含む第二のキャラクタの受信に応答して、該制御信号に従い決定される高い振幅を有する高出力信号を出力し、該データシーケンス信号の０を含む第三のキャラクタの受信に応答して、該制御信号に従い決定される高い振幅を有する反転された高出力信号を出力し、該データシーケンス信号の１を含む第四のキャラクタの受信に応答して、該制御信号に従い決定される低い振幅を有する反転された低出力信号を出力することにより、該制御信号を使用して該データシーケンス信号の振幅を調整可能である、
付記８記載のシステム。
【００５３】
（付記１５）
信号を等化するためのロジックであって、
振幅を有するデータシーケンスの信号を受信し、
該データシーケンス信号を等化可能な該データシーケンス信号に関する調整を決定し、
該調整に従い該データシーケンス信号の振幅を調整可能であってアナログ形式を有する制御信号を発生し、
該データシーケンス信号を等化するために、該制御信号を使用して該データシーケンス信号の振幅を調整することができる、
媒体で実現されるロジック。
【００５４】
（付記１６）
該制御信号をデジタル−アナログ変換器で発生することにより、該調整にしたがって、該データシーケンス信号の振幅を調整可能な制御信号を発生可能である、
付記１５記載のロジック。
【００５５】
（付記１７）
該データシーケンス信号を送信し、
該データシーケンス信号を受信し、
該データシーケンス信号に関連する誤差を決定し、
該誤差に応答して、次のデータシーケンスの信号を等化可能な該次のデータシーケンス信号に関する次の調整を決定可能である、
ことをさらに備える付記１５記載のロジック。
【００５６】
（付記１８）
該データシーケンス信号の振幅は、該データシーケンス信号の電流の振幅を備え、
該制御信号は、該データシーケンス信号の電流振幅を調整可能な制御電流を備える、
付記１５記載のロジック。
【００５７】
（付記１９）
該データシーケンス信号の振幅は、該データシーケンス信号の電圧の振幅を備え、
該制御信号は、該データシーケンス信号の電圧振幅を調整可能な制御電圧を備える、
付記１５記載のロジック。
【００５８】
（付記２０）
該データシーケンス信号の０を含む第一のキャラクタの受信に応答して、該制御信号に従い決定される低い振幅を有する低出力信号を出力し、該データシーケンス信号の１を含む第二のキャラクタの受信に応答して、該制御信号に従い決定される高い振幅を有する高出力信号を出力することにより、該制御信号を使用して該データシーケンス信号の振幅を調整可能である、
付記１５記載のロジック。
【００５９】
（付記２１）
該データシーケンス信号の０を含む第一のキャラクタの受信に応答して、該制御信号に従い決定される低い振幅を有する低出力信号を出力し、該データシーケンス信号の１を含む第二のキャラクタの受信に応答して、該制御信号に従い決定される高い振幅を有する高出力信号を出力し、該データシーケンス信号の０を含む第三のキャラクタの受信に応答して、該制御信号に従い決定される高い振幅を有する反転された高出力信号を出力し、該データシーケンス信号の１を含む第四のキャラクタの受信に応答して、該制御信号に従い決定される低い振幅を有する反転された低出力信号を出力することにより、該制御信号を使用して該データシーケンス信号の振幅を調整可能である、
付記１５記載のロジック。
【００６０】
（付記２２）
振幅を有するデータシーケンスの信号を受信するための手段と、
該データシーケンス信号を等化可能な該データシーケンス信号に関する調整を決定するための手段と、
該調整に従い該データシーケンス信号の振幅を調整可能であってアナログ形式を有する制御信号を発生するための手段と、
該データシーケンス信号を等化するために、該制御信号を使用して該データシーケンス信号の振幅を調整するための手段と、
を備える信号を等化するためのシステム。
【００６１】
（付記２３）
電圧の振幅を含む振幅を有するデータシーケンスの信号を受信して、該データシーケンス信号を等化可能な該データシーケンス信号に関する調整を決定するステップと、
該調整に従い該データシーケンス信号の電圧振幅を調整可能な制御電圧を含み、アナログ形式を有する制御信号をデジタル−アナログ変換器で発生するステップと、
該データシーケンス信号の０を含む第一のキャラクタの受信に応答して、該制御信号に従い決定される低い振幅を有する低出力信号を出力し、該データシーケンス信号の１を含む第二のキャラクタの受信に応答して、該制御信号に従い決定される高い振幅を有する高出力信号を出力し、該データシーケンス信号の０を含む第三のキャラクタの受信に応答して、該制御信号に従い決定される高い振幅を有する反転された高出力信号を出力し、該データシーケンス信号の１を含む第四のキャラクタの受信に応答して、該制御信号に従い決定される低い振幅を有する反転された低出力信号を出力することにより、該データシーケンス信号を等化するために、該制御信号を使用して該データシーケンス信号の振幅を調整するステップと、
該データシーケンス信号を送信し、該データシーケンス信号を受信し、該データシーケンス信号に関連する誤差を決定し、該誤差に応答して、次のデータシーケンスの信号を等化可能な該次のデータシーケンス信号に関する次の調整を決定するステップと、
を備える信号を等化するための方法。
【図面の簡単な説明】
【００６２】
【図１】予期される歪みを補償するために送信信号を調整する送信機を有するネットワークに関する１つの実施の形態を例示するブロック図である。
【図２】伝送向けに信号を等化するためのシステムに関する１つの実施の形態を例示するブロック図である。
【図３】伝送向けに信号電圧を調整するイコライジングフィルタに関する１つの実施の形態を例示するブロック図である。
【図４】高電圧と低電圧との間のスイングを調整するために制御電圧がどのように使用されるかを例示するグラフである。
【図５】高電圧と低電圧との間のスイングを調整するために制御電圧がどのように使用されるかを例示するグラフである。
【図６】伝送向けに信号電流を調整するイコライジングフィルタに関する１つの実施の形態を例示するブロック図である。
【図７】伝送向けに信号を等化するための方法に関する１つの実施の形態を例示するフローチャートである。
【符号の説明】
【００６３】
２０ａ，２０ｂ：ネットワークエレメント
２２：チャネル
２４：送信機
２６：受信機
３０：イコライジングフィルタ
３２：フィードバックモニタ
３４：フィルタ
３６：測定回路
【図１】
2004242305.tif 000003
【図２】
2004242305.tif 000004
【図３】
2004242305.tif 000005
【図４】
2004242305.tif 000006
【図５】
2004242305.tif 000007
【図６】
2004242305.tif 000008
【図７】
2004242305.tif 000009